(57)【要約】【課題】  施錠状態におけるシリンダ錠の内筒を暴力的に回してタンブラーを破壊することによる不正解錠を防止する。【解決手段】  ピンシリンダ錠の内筒２の回転軸線に沿う中央部に、内筒の回動軸線に垂直な一対のスリット７、７を回動軸線を挟んで対称的に形成し、ここを応力集中部とする。そして、内筒２が不正解錠の目的で暴力的に捩られた場合、他の部分と比較して著しく横断面積が小さい応力集中部の剪断応力を他の部分に先んじて剪断破壊強さに到達させ、この応力集中部を選択的に破断させる。【選択図】  図３
2006214153.tif 000002
【特許請求の範囲】
【請求項１】
内筒と外筒を有し、施錠時、これら内筒と外筒の嵌合部であるシアーラインにタンブラーを跨がらせるようにしたものにおいて、内筒の軸線に沿う少なくとも１ヵ所に、応力集中部を形成したことを特徴とするシリンダ錠。
【請求項２】
内筒と外筒を有し、施錠時、これら内筒と外筒の嵌合部であるシアーラインにタンブラーを跨がらせるようにしたものにおいて、内筒の軸線に沿う少なくとも１ヵ所に、剪断破壊強さ減少部を形成したことを特徴とするシリンダ錠。
【請求項３】
上記タンブラーがピンタンブラーである請求項１又は２に記載のシリンダ錠。
【請求項４】
上記タンブラーがディスクタンブラーである請求項１又は２に記載のシリンダ錠。
【発明の詳細な説明】
【技術分野】
【０００１】
この発明は、シリンダ錠に係り、特に、内筒を強引に回動してタンブラーを破壊するタイプの不正解錠を防止できるシリンダ錠に関する。
【背景技術】
【０００２】
例えば後記特許文献１の図２に示されているように、シリンダ錠の一種であるピンシリンダ錠は、合鍵１５を鍵孔に挿入すると付番しないタンブラーピン及びドライバーピンの接合部がシアーラインに揃い、内筒３が回動可能になるので、合鍵１５を回すことにより、そのテールピース１３を介して例えばダルマ等のデッドボルト操作部材を制御する構造である。
【０００３】
また、特許文献２に記載された所謂ディスクタンブラー錠も、鍵孔３に合鍵を挿入すると、ディスクタンブラー４の両端が内筒と外筒の嵌合部であるシアーラインに揃い、内筒１が回動できるようになる。
【特許文献１】特公平０６−０７４６８４号公報
【特許文献２】特開平１１−３１５６５４号公報
【発明の開示】
【発明が解決しようとする課題】
【０００４】
通常、シリンダ錠は、施錠時タンブラーがシアーラインに跨がり、内筒が回動できないことを利用して施錠する。
【０００５】
しかしながら、鍵孔から合鍵を抜いた施錠状態では鍵孔が外部空間に露呈しており、この鍵孔に例えばマイナスドライバーを差込み、詳しく説明すると公序良俗に反することになる増力装置を用いて内筒を強引に回すと、場合によってはタンブラーが剪断され、或いは塑性変形して内筒が回動可能になるので、このような荒っぽい形式の不正解錠が必ずしも不可能ではない。
【０００６】
そこで、この発明は、内筒を強引に回してタンブラーを破壊しようとするタイプの不正解錠を不可能にするシリンダ錠を提供することを目的としている。
【課題を解決するための手段】
【０００７】
上記の目的を達成するため、請求項１に記載の発明は、シリンダ錠の内筒の回動軸線に沿う少なくとも１ヵ所に、応力集中部を形成したことを特徴とする。
【０００８】
また、請求項２に記載の発明は、内筒の軸線に沿う少なくとも１ヵ所に、剪断破壊強さ減少部を形成したことを特徴とする。
【発明の効果】
【０００９】
上記のように構成された請求項１に記載の発明によるシリンダ錠は、鍵孔に工具を差し込んでこれを強引に回すと、内筒の応力集中部が選択的に剪断される結果、応力集中部より外側が空回りするだけで内筒のテールピース及びこれと係合しているデッドボルト制御部材は動かないから、結局不正解錠ができない。
【００１０】
また、請求項２に記載の発明によるシリンダ錠は、鍵孔に工具を差し込んでこれを強引に回すと、内筒の剪断破壊強さ減少部が選択的に剪断される結果、剪断破壊強さ減少部より外側が空回りするだけで内筒のテールピース及びこれと係合しているデッドボルト制御部材は動かないから、結局不正解錠ができない。
【００１１】
また、剪断により千切れた内筒の外側の部分を外筒から取り外すことができたとしても、内筒の内側の部分が外筒に係止された状態でデッドボルト制御部材を覆っているので、それ以上の不正解錠操作が不可能である、等種々の効果を奏する。
【発明を実施するための最良の形態】
【００１２】
内筒の軸線に沿う少なくとも１ヵ所の断面積を小さくする、又は剪断破壊強さ減少部を設ける、という簡単な構成で、シリンダ錠の内筒を強引に回してタンブラーを破壊することによる不正解錠を防止できるようにした。
【実施例１】
【００１３】
以下、この発明の実施例を図面を参照して説明する。
図１において符号１はピンシリンダ錠の外筒を、符号２は内筒を夫々示し、ピンシリンダー錠の鍵孔に合鍵３を挿入していない施錠状態、或いは合鍵とは異なる異鍵を鍵孔に挿入した場合には、タンブラーピン４或いはドライバーピン５がシアーライン６に跨がるので、内筒２は外筒１に対して相対的に固定される。
【００１４】
なお、図示の実施例におけるピンシリンダ錠の合鍵３は、図２に示すように、鍵孔に挿入されるステム部の幅の広い部分に２列の摺り鉢形のピン穴が列設される形式で、１列目のピン穴群には図１に示すタンブラーピンが係合するが、２列目のピン穴群には図示しないタンブラーピンが斜めに係合するタイプである。
【００１５】
しかし、このようなピンシリンダ錠の構造そのものはこの発明の要旨ではないので、更に詳細な説明は省略する。
【００１６】
上記した構造のピンシリンダ錠の内筒の回転軸線に沿う中央部には、図３及び図４に示すように、内筒の回動軸線に垂直な一対のスリット７、７が回動軸線を挟んで対称的に形成され、ここに応力集中部が形成されている。
【００１７】
上記のように構成されたピンシリンダ錠の内筒は、前記したように合鍵無しで無理に回動された場合、応力集中部に剪断応力が集中するので、他の部分に先んじて、或いは選択的に、この応力集中部が破断（剪断）される。
【００１８】
それは、剪断応力と内筒の横断面積の積は内筒の回転軸線に沿う全ての断面において等しいが、この応力集中部は他の部分と比較して著しく断面積が減少しているので、剪断応力が著しく大きくなり、他の部分に先んじて剪断応力が剪断破壊強さに達するからである。
【００１９】
なお、ここで剪断破壊強さとは、内筒が剪断（破断）されるときの破断部の断面における剪断応力をいうものとする。
【００２０】
応力集中部において内筒が剪断されたとき、それ以上の不正解錠が不可能であることは前記したとおりである。
【実施例２】
【００２１】
図２に示す内筒２の回転軸線の長さ方向において、例えばスリット７の中心を通る平面で内筒２を分断し、或いはこの平面によって前後二つの部材に別れるように内筒２を構成し、この前後二つの部材を接着剤により一体に結合し、この接着部を剪断破壊強さ減少部とする。
【００２２】
このように構成された請求項２に記載の発明の一実施例による内筒は、上記したように暴力的に捩られた場合、内筒の各横断面における剪断応力と断面積の積は等しく、また、横断面積は著しく変化しないので、応力集中は生じない。
【００２３】
しかしながら、接着部における剪断破壊強さは他の部分と比較して著しく小さいので、この接着部において先に、或いは選択的に剪断破壊が生じ、この接着部（剪断破壊強さ減少部）において内筒が剪断されたとき、それ以上の不正解錠が不可能であることは前記したとおりである。
【実施例３】
【００２４】
前記実施例１及び２におけるシリンダ錠はピンシリンダ錠であるが、前記特許文献２に記載された所謂ディスクタンブラー錠にもこの発明を適用できることは勿論である。
【図面の簡単な説明】
【００２５】
【図１】ピンシリンダ錠の縦断面図。
【図２】その合鍵の平面図。
【図３】この発明を適用したピンシリンダ錠の内筒の平面図。
【図４】ピンシリンダ錠の正面図。
【符号の説明】
【００２６】
１  外筒
２  内筒
３  合鍵
４  タンブラーピン
５  ドライバピン
６  シアライン
７  スリット
【図１】
2006214153.tif 000003
【図２】
2006214153.tif 000004
【図３】
2006214153.tif 000005
【図４】
2006214153.tif 000006